(57)【要約】      （修正有）【課題】チルド室の温度を下げるため、チルド室に向けて冷気を吹き出すと、隙間を設けた場合、チルド室内が乾燥する。また、減圧室にすると、構造を強固とすため低圧室の内容量が少なくなる。【解決手段】冷蔵庫は冷気を生成し、冷気を送り出す冷却部と、冷却部が生成した冷気を吹き出す吹出口を含む貯蔵室と、前後方向で移動可能であり貯蔵物を収容するケース部と、ケース部の上方に設けられ、ケース部を格納状態としたときケース部を覆うカバー部と、を含み、貯蔵室内に設けられ、ケース部及びカバー部周辺の冷気により室内が間接冷却される間接冷却室と、押し込まれ、格納状態とされたケース部を保持する保持部と、を含む。【選択図】図１３
2014052097.tif 000002
【特許請求の範囲】
【請求項１】
冷気を生成し、冷気を送り出す冷却部と、
前記冷却部が生成した冷気を吹き出す吹出口を含む貯蔵室と、
前後方向で移動可能であり貯蔵物を収容するケース部と、前記ケース部の上方に設けられ、前記ケース部を格納状態としたとき前記ケース部を覆うカバー部と、を含み、前記貯蔵室内に設けられ、前記ケース部及び前記カバー部周辺の冷気により室内が間接冷却される間接冷却室と、
格納状態とされた前記ケース部を保持する保持部と、を含むことを特徴とする冷蔵庫。
【請求項２】
前記ケース部の下面に突起部が設けられ、
前記保持部は前記ケース部が格納状態にされると前記突起部に押されて変形し、前記突起部を押さえるバネ部を含むことを特徴とする請求項１記載の冷蔵庫。
【請求項３】
前記バネ部は前記突起部と接する第１傾斜部を有し、
前記第１傾斜部は前記ケース部が押し込まれるほど、前記バネ部が前記突起部を押さえる力が弱くなるように傾斜していることを特徴とする請求項２に記載の冷蔵庫。
【請求項４】
前記バネ部は前記ケース部が押し込まれるときに前記突起部と最初に接する第２傾斜部を有することを特徴とする請求項２又は３に記載の冷蔵庫。
【請求項５】
前記突起部は前記ケース部の左右方向での中央部分であって、前記ケース部の背面寄りに設けられ、
前記保持部は前記ケース部の格納状態のときの前記突起部の位置に応じて、前記突起部を押さえる位置に設けられることを特徴とする請求項２乃至４のいずれか１項に記載の冷蔵庫。
【請求項６】
前記突起部は前記ケース部の左右方向での中央部分であって、前記ケース部の正面寄りに設けられ、
前記保持部は前記ケース部の格納状態のときの前記突起部の位置に応じて、前記突起部を押さえる位置に設けられることを特徴とする請求項２乃至４のいずれか１項に記載の冷蔵庫。
【請求項７】
前記ケース部を格納状態としたとき、前記ケース部と前記カバー部のいずれか一方に、前記ケース部と前記カバー部の間の隙間をふさぐためのシール部材が設けられることを特徴とする請求項１乃至請求項６のいずれか１項に記載の冷蔵庫。
【発明の詳細な説明】
【技術分野】
【０００１】
本発明はカバー部とケース部を組み合わせた間接冷却室を含む冷蔵庫に関する。
【背景技術】
【０００２】
従来、冷蔵庫には、冷蔵する品に応じて、様々な貯蔵室が設けられる。例えば、最も内容量が大きい扉付きの冷蔵室の他、野菜の貯蔵に適した野菜室や、冷凍品貯蔵用の冷凍室などが設けられる。また、鮮度を保持するため、貯蔵室（冷蔵室）内に室内を低酸素状態とする低圧室が設けられることもある。低圧室内の空気は真空ポンプ等で排出され、低圧室の気圧は下げられる。
【０００３】
このような低圧室を設けた冷蔵庫の一例が特許文献１に記載されている。具体的に特許文献１には、扉を備えた冷蔵室と、該冷蔵室内に低圧室と、該低圧室を減圧する減圧手段を備え、前記低圧室は貯蔵物の出し入れ用開口部を有する低圧室本体と、前記食品出し入れ用開口部を開閉する低圧室ドアと、前記低圧室内が所定の圧力より高いか低いかを判定する圧力検知手段を有し、前記減圧手段を動作させ、前記圧力検知手段により所定の圧力より低いことが検知された後に、第２の所定時間経過したときに前記減圧手段を停止させる冷蔵庫が記載されている。この構成により、圧力検知手段は例えば圧力検知スイッチなどを用いることで、圧力センサーを用いる必要がないため、高価な圧力センサーを使用する必要を無くそうとする。
【先行技術文献】
【特許文献】
【０００４】
【特許文献１】特許４９４００４６号公報
【発明の概要】
【発明が解決しようとする課題】
【０００５】
従来、例えば、冷蔵庫の上方に設けられ最も内容量が大きいメインの冷蔵室（貯蔵室）内に、冷蔵室内の温度よりも低い温度で食材を冷やすための貯蔵室（区画）が設けられることがある。このような貯蔵室（区画）は、例えば、「チルド室」と称される。例えば、従来、冷蔵室の温度が（約３〜５°Ｃ）で有るのに対し、冷蔵室よりも低い温度（例えば、約０°Ｃ前後）で保たれる貯蔵室を冷蔵室内に設けることがある。このような貯蔵室（区画）は、例えば、「チルド室」と称される。約０°Ｃ前後の温度帯は肉や魚、乳製品、練り製品、漬物などの保存に適しているとされる。
【０００６】
冷蔵室の他の部分よりも低温とするため、チルド室を積極的に冷却する必要がある。そこで、従来、チルド室の温度を下げるため、チルド室に向けて冷気を吹き出したり、チルド室に隙間を設け、チルド室内に流れる冷気の量を増やしたりしている。
【０００７】
しかし、チルド室内に乾燥した冷気が流れるので、チルド室内の食材の水分が失われやすい（食材が乾燥しやすい）という問題がある。水分の蒸発量が多いと食材の風味や外観が損なわれる場合もある。
【０００８】
ここで、特許文献１に記載されるような低圧室では、密閉しつつ減圧を行うので、低圧室から水分が逃げにくく、乾燥を防ぎやすいという利点がある。しかし、減圧することの引き替えに、減圧しない場合に比べ、低圧室自体の構造や低圧室近傍の構造を減圧に耐えうるほどの強固な構造（がっちりした構造）としなくてはならないという問題がある。また、低圧室の構造を強固とするため、減圧しない構造に比べ、低圧室の内容量が少なくなるという問題もある。
【０００９】
本発明は、上記問題点を鑑み、貯蔵室内に、複雑な構造を持たせることなく、簡易に、高い密閉性を保ち、食材の乾燥が生じ難い間接冷却室を設けることを実現する。
【課題を解決するための手段】
【００１０】
上記目的を達成するために請求項１に係る冷蔵庫は冷気を生成し、冷気を送り出す冷却部と、前記冷却部が生成した冷気を吹き出す吹出口を含む貯蔵室と、前後方向で移動可能であり貯蔵物を収容するケース部と、前記ケース部の上方に設けられ、前記ケース部を格納状態としたとき前記ケース部を覆うカバー部と、を含み、前記貯蔵室内に設けられ、前記ケース部及び前記カバー部周辺の冷気により室内が間接冷却される間接冷却室と、格納状態とされた前記ケース部を保持する保持部と、を含むことを特徴とする冷蔵庫。
【００１１】
この構成によれば、ケース部と、仕切棚の下方であってケース部の上方に設けられ、ケース部を格納した状態としたときケース部を覆うカバー部とで、間接冷却室が構成されるとともに、押し込まれ、格納状態とされた前記ケース部を保持する保持部と、を含む。
【００１２】
これにより、ケース部を保持部で保持できるので、格納状態にあるケース部が動いて、ケース部とカバー部の間の隙間が大きくならないようにすることができる。従って、間接冷却室を密閉性の高い状態で保つことができ、食材の乾燥を防ぐことができる。又、ケース部を格納状態にして、ケース部にカバー部を被せるだけで、密閉性が高く食材の乾燥が生じ難い間接冷却室を設けることができる。しかも、低圧室のように減圧を伴う場合に比べ、強度のある部材や補強部材を用いることなく、簡易に間接冷却室の密閉性を高めることができ、冷気の入り込みを減らすことができる。
【００１３】
又、上記構成の冷蔵庫において、前記ケース部の下面に突起部が設けられ、前記保持部は前記ケース部が格納状態にされると前記突起部に押されて変形し、前記突起部を押さえるバネ部を含むようにしてもよい。
【００１４】
この構成により、簡易な構成で格納状態としたケース部をしっかりと保持することができる。又、使用者にとって視認しづらいケース部の下面で保持が行われるから、美観的にも好ましい。
【００１５】
又、上記構成の冷蔵庫において、前記バネ部は前記突起部と接する第１傾斜部を有し、前記第１傾斜部は前記ケース部が押し込まれるほど、前記バネ部が前記突起部を押さえる力が弱くなるように傾斜させてもよい。
【００１６】
この構成により、ケース部を格納状態に向けて押し込む方向への力（背面側へケース部を導くような力）を生じさせることができる。言い換えると、バネ部が安定する方向である背面側にケース部を移動させる力をバネ部に持たせ、格納状態としたケース部をしっかりと保持することができる。これにより、ケース部とカバー部の間で隙間が生じないようにケース部を安定した状態（格納状態）で保つことができる。
【００１７】
又、上記構成の冷蔵庫において、前記バネ部は前記ケース部が押し込まれるときに前記突起部と最初に接する第２傾斜部を有するようにしてもよい。
【００１８】
この構成により、勢いよくケース部を格納する方向に移動させても、突起部がバネ部に衝突する力を傾斜により逃がすことができる。従って、突起部やバネ部への衝撃を和らげることができ、突起部やバネ部の破損を無くすことができる。
【００１９】
又、上記構成の冷蔵庫において、前記突起部は前記ケース部の左右方向での中央部分であって、前記ケース部の背面寄りに設けられ、前記保持部は前記ケース部の格納状態のときの前記突起部の位置に応じて、前記突起部を押さえる位置に設けられるようにしてもよい。
【００２０】
この構成により、突起部や保持部は左右方向での中央部分に設けられるから、ケース部の中心に近い位置で、ケース部を適切に保持することができる。又、突起部や保持部はケース部の背面側の位置に設けられるから、使用者にとって視認しづらく、美観的にも好ましい。
【００２１】
又、上記構成の冷蔵庫において、前記突起部は前記ケース部の左右方向での中央部分であって、前記ケース部の正面寄りに設けられ、前記保持部は前記ケース部の格納状態のときの前記突起部の位置に応じて、前記突起部を押さえる位置に設けられるようにしてもよい。
【００２２】
この構成により、突起部や保持部は左右方向での中央部分に設けられるから、ケース部の中心に近い位置で、ケース部を適切に保持することができる。又、突起部や保持部はケース部の正面寄りに設けられるから、使用者に保持されたか否かを感触で把握しやすくなり、ケース部とカバー部に大きな隙間がある状態（ケース部をきちんと格納していない状態）で維持されることが無くなる。
【００２３】
又、上記構成の冷蔵庫において、前記ケース部と前記カバー部のいずれか一方に、前記ケース部と、前記カバー部の間の隙間をふさぐためのシール部材を設けるようにしてもよい。
【００２４】
この構成により、間接冷却室の密閉性（カバー部とケース部を重ね合わせたときの密閉性）を高めることができる。従って、食材の乾燥を生じ難くすることができる。
【発明の効果】
【００２５】
本発明の冷蔵庫によれば、貯蔵室内に、複雑な構造を持たせることなく、安価、簡易に密閉性が高く食材の乾燥が生じ難い間接冷却室が設けられた冷蔵庫を提供することができる。又、ケース部を保持部で保持できるので、格納状態にあるケース部が動いて、ケース部とカバー部の間の隙間が大きくならないようにすることができる。
【図面の簡単な説明】
【００２６】
【図１】冷蔵庫を示す正面図である。
【図２】冷蔵庫の右側面断面図である。
【図３】冷蔵庫の正面断面図である。
【図４】冷蔵庫の冷気の流れの一例を示す冷気回路図である。
【図５】チルド室の斜視図である。
【図６】チルド室上部の仕切棚を除いた状態の斜視図である。
【図７】チルド室の奥側の冷蔵室の壁面部分の一例を示す説明図である。
【図８】チルド室部分の模型的右側面断面図である。
【図９】（ａ）は図８の破線囲い部分Ａ部分の位置に対応するカバー部とケース部の右側面部分の隙間をふさぐシール部材の一例を説明するための説明図であり、（ｂ）は図８の破線囲い部分Ａ部分を拡大して前方から見た図であり、カバー部とケース部の左側面部分の隙間をふさぐシール部材の一例を説明するための説明図である。
【図１０】図８の破線囲い部分Ｂを拡大した図であり、カバー部とケース部の前部分の隙間をふさぐシール部材の一例を説明するための説明図である。
【図１１】図８の破線囲い部分Ｃを拡大した図であり、カバー部とケース部の後部分の隙間をふさぐシール部材の一例を説明するための説明図である。
【図１２】チルド室を右斜下側から見た斜視図である。
【図１３】保持部がケース部を保持した状態を下方から見た下面図である。
【図１４】保持部の一例を示す説明図である。
【図１５】突起部と保持部の配置位置を変えた変形例の一例を示す説明図である。
【発明を実施するための形態】
【００２７】
以下、図１〜図１２を用いて、本発明の実施形態に係る冷蔵庫１００を説明する。
【００２８】
（冷蔵庫１００の概要）
まず、図１〜図１２を用いて、実施形態に係る冷蔵庫１００の概要を説明する。図１は冷蔵庫１００を示す正面図である。図２は冷蔵庫１００の右側面断面図である。
【００２９】
図１〜図３に示すように、本実施形態の冷蔵庫１００では、最上段にチルド室１（間接冷却室に相当）を含む冷蔵室２（貯蔵室の一種に相当）が配される。冷蔵室２の下側の左側に製氷室３が配される。又、冷蔵室２の下側の右側には上部冷凍室４が配される。又、製氷室３と上部冷凍室４の下方には下部冷凍室５が配される。更に、下部冷凍室５の下方（冷蔵庫１００の最下段）には野菜室６が配される。
【００３０】
図１に示すように、冷蔵室２は観音開きの扉１０１を有する。使用者は扉１０１を開いて冷蔵保存する貯蔵物の出し入れを行う。製氷室３、上部冷凍室４、下部冷凍室５、野菜室６は手前側に引き出すことができ、冷凍保存するものや野菜などを出し入れすることができる。尚、野菜室６は野菜の貯蔵に適した温度（約８℃）に維持される。
【００３１】
図２に示すように、上部冷凍室４には、冷凍保存する貯蔵物を収納する収納ケース４１が設けられる。下部冷凍室５にも、冷凍保存する貯蔵物を収納する収納ケース５１が設けられる。又、野菜室６にも、野菜を貯蔵する２段式の収容ケース６１が設けられる。
【００３２】
（冷蔵室２内の構成）
次に、図２、図３を用いて、実施形態に係る冷蔵庫１００の冷蔵室２内部を説明する。図３は冷蔵庫１００の正面断面図である。
【００３３】
図２、図３に示すように、冷蔵室２内には、冷蔵室２内の空間を仕切る複数の仕切棚２１、２２、２３、２４が設けられる。仕切棚２１〜２４の上面には冷蔵保存する貯蔵物を載置できる。又、図２に示すように、冷蔵室２の扉１０１には収納ポケット２５（複数個あるが同じ符号を付す）が設けられる。これらにより、適切に冷蔵室２内の空間を仕分けて、冷蔵庫１００の使い勝手を向上させる。
【００３４】
また、冷蔵室２内の下部（最下段の仕切棚２４と製氷室３及び上部冷凍室４の間）には、チルド室１、及び、卵ケース２６と小物ケース２７が設けられる（図５、図６参照）。便宜上、図２では、チルド室１のみ図示する。又、図３では、チルド室１、卵ケース２６、小物ケース２７の図示は便宜上省略している。
【００３５】
チルド室１はチルド温度帯（約０〜２℃程度）で維持される。例えば、チルド室１には乳製品、練り製品、発酵食品、加工品、肉、魚などが貯蔵される。卵ケース２６には鶏卵が収容される。小物ケース２７に貯蔵するものに特に限定はないが、小物ケース２７は小瓶やバターなどの小物をまとめて貯蔵するのに便利である。
【００３６】
（冷気の生成と循環）
図２〜図４を用いて、実施形態に係る冷蔵庫１００での冷気の生成と循環の一例を説明する。図４は冷蔵庫１００の冷気の流れの一例を示す冷気回路図である。
【００３７】
まず、冷蔵庫１００の背面下方に、冷却器７１と、冷却器７１に接続された圧縮機７２が設けられる。圧縮機７２には凝縮器、膨張器（いずれも不図示）が接続される。圧縮機７２の駆動によりイソブタン等の冷媒が循環して冷凍サイクルが運転される。これにより、冷凍サイクルの低温側となる冷却器７１での熱交換により冷気が生成される。圧縮機７２は冷蔵室２または上部冷凍室４又は下部冷凍室５の室内温度が設定温度に対して高温側の上限温度よりも上昇すると駆動され、設定温度に対して低温側の下限温度になると停止される。
【００３８】
上部冷凍室４や下部冷凍室５の背後に第１通風路７３が設けられる。第１通風路７３内に冷却器７１が配される。又、冷蔵室２の背後には第１通風路７３と接続される第２通風路７４が設けられる。生成された冷気は第１通風路７３と第２通風路７４をとおり各室に供給される。
【００３９】
第１通風路７３内には、第１送風機７５が配される。冷却器７１で生成された冷気は第１送風機７５により送り出される。例えば、第１送風機７５により送り出された冷気は第１通風路７３を介して製氷室３、上部冷凍室４、下部冷凍室５に供給される。
【００４０】
第１通風路７３は製氷室３の背面に設けられた製氷室吹出口８１と、上部冷凍室吹出口８２（図３参照）に接続される。冷却器７１で生成された冷気は、第１送風機７５の駆動により矢印Ａ（図３参照）に示すように第１通風路７３を上昇して製氷室３に送り出される。又、冷却器７１で生成された冷気は、第１送風機７５の駆動により矢印Ｂ（図３参照）に示すように第１通風路７３を上昇して上部冷凍室４に送り出される。これにより、製氷室３や上部冷凍室４が冷やされる。
【００４１】
そして、製氷室３や上部冷凍室４には下部冷凍室５が接続される。製氷室３及び上部冷凍室４を経た冷気は下部冷凍室５にも流れ込む。これにより、製氷室３、上部冷凍室４に加え、下部冷凍室５内も冷却される。下部冷凍室５の後方下部には、空気を導き、第１通風路７３の冷却器７１に冷気を戻す戻り通風路７６（図２参照）が設けられる。そして、戻り通風路７６を介して冷気が冷却器７１に戻る。
【００４２】
又、第２通風路７４内には、第２送風機７７が配される。冷却器７１で生成された冷気も第２送風機７７により、送り出される。例えば、第２送風機７７により送り出された冷気は第２通風路７４を介して冷蔵室２、チルド室１、野菜室６に対して供給される。
【００４３】
第１通風路７３の上部は第２通風路７４と接続される。第１通風路７３と第２通風路７４の間には冷蔵室ダンパ７８が設けられる。第１通風路７３の上部で第２通風路７４方向に分岐した冷気は第２送風機７７の駆動により冷蔵室ダンパ７８を介して矢印Ｃ（図３参照）に示すように第２通風路７４を流れる。又、第２通風路７４は冷蔵室２の奥側の複数の冷蔵室吹出口８３と接続される。これにより、第２通風路７４を流れる冷気は冷蔵室２内に吹き出される。
【００４４】
又、第２通風路７４はチルド室１の背面側に設けられた吹出口８０とつながっている。これにより、第２通風路７４を流れる冷気は矢印Ｄ（図３参照）に示すように、チルド室１の後方からも吹き出される。
【００４５】
冷蔵室２の背面下部には冷蔵室２下方の冷気を集め、野菜室６方向に送り出す戻り口８４が設けられる。戻り口８４は野菜室６と野菜室用通風路７９（図３参照）で接続される。このように、第２通風路７４に導かれた冷気は冷蔵室２及びチルド室１を流通した後、野菜室６に流入する。野菜室６に流入した冷気は野菜室６内を流れ戻り通風路７６を介して冷却器７１に戻る。冷蔵室２、チルド室１、野菜室６が冷却され、設定温度になると冷蔵室ダンパ７８は閉じられる。
【００４６】
実施形態の冷蔵庫１００では、冷気回路的に、製氷室３や上部冷凍室４と冷蔵室２はそれぞれ並列に配される（図４参照）。又、製氷室３や上部冷凍室４は下部冷凍室５と直列に配される。又、野菜室６は冷蔵室２と直列に配される。そして、冷却器７１や圧縮機７２や第１送風機７５や第２送風機７７や各種通風路が冷蔵室２やチルド室１に冷気を生成し、冷気を送り出す冷却部として機能する。
【００４７】
（チルド室１の概要）
次に、図５、図６を用いて、実施形態に係る冷蔵庫１００のチルド室１の概要を説明する。図５はチルド室の斜視図である。図６はチルド室１上部の仕切棚２４を除いた状態の斜視図である。
【００４８】
上述のように、冷蔵室２内の最下段の仕切棚２４と冷蔵室２の底面２ａとの間の空間のうち、右側にチルド室１が設けられる。言い換えると、冷蔵室２内にチルド室１が設けられる。本実施形態でのチルド室１は従来のものとは異なり、密閉性を高め、間接冷却により冷蔵を行う貯蔵室である。具体的に、チルド室１内に冷気を流すことによりチルド室１の室内を冷やすのではなく、周囲の冷気によって冷やすことにより（間接冷却により）、チルド室１内の温度が下げられる。
【００４９】
具体的に、チルド室１は貯蔵物（食材）を収容し、前後方向で移動可能なケース部１１と、仕切棚２４の下方であってケース部１１の上方に設けられ、ケース部１１を格納した状態としたときケース部１１を覆う（ケース部１１に被せられる）カバー部１２と、を含む。図５、図６に示すように、カバー部１２は下面が開口された箱形の形状である。又、ケース部１１も上面が開口された箱形の形状である。
【００５０】
ケース部１１は正面／背面方向（前後方向）で引き出したり、引き出した後、押し入れて格納状態としたりすることができる。ケース部１１の出し入れのため、ケース部１１の正面部分の下方には、指を引っかけるための取手部１３が設けられる。
【００５１】
そして、カバー部１２の下端部分とケース部１１の上端部分の間の隙間がなくなるように、ケース部１１は格納状態とされる。そのため、カバー部１２の下端縁部とケース部１１の上端縁部の上下方向からみたサイズは同じとされる。
【００５２】
具体的に、図５、図６に示すように、ケース部１１を格納状態としたとき、カバー部１２はケース部１１とカバー部１２の間からの冷気の流入出を防ぐようにケース部１１を覆う。より詳しく言えば、カバー部１２の正面部分（前部分）の下端縁部１２Ｆの辺の長さと、ケース部１１の正面部分（前部分）の上端縁部１１Ｆの辺の長さは等しい、又は、ほぼ等しい。又、カバー部１２の背面部分（後部分）の下端縁部１２Ｂの辺の長さと、ケース部１１の背面部分（後部分）の上端縁部１１Ｂの辺の長さは等しい、又は、ほぼ等しい。更に、又、カバー部１２の左右側面部分（左右部分）の下端縁部１２Ｒ、１２Ｌの辺の長さと、ケース部１１の左右側面部（左右部分）の上端縁部１１Ｒ、１１Ｌの辺の長さは等しい、又は、ほぼ等しい。
【００５３】
そして、ケース部１１のうち、ケース部１１の左右方向でカバー部１２と対向するケース部側対向部（本実施形態では上端縁部１１Ｒ、１１Ｌ）と、カバー部１２のうち、カバー部１２の左右方向でケース部１１と対向するカバー部側対向部（本実施形態では、下端縁部１２Ｒ、１２Ｌ）の間の隙間が無くなるように、ケース部１１は格納される。又、ケース部１１のうち、ケース部１１の正面側でカバー部１２と対向するケース部側対向部（本実施形態では上端縁部１１Ｆ）と、カバー部１２のうち、カバー部１２の正面側でケース部１１と対向するカバー部側対向部（本実施形態では、下端縁部１２Ｆ）の間の隙間が無くなるように、ケース部１１は格納される。又、ケース部１１のうち、ケース部１１の背面側でカバー部１２と対向するケース部側対向部（本実施形態では上端縁部１１Ｂ）と、カバー部１２のうち、カバー部１２の背面側でケース部１１と対向するカバー部側対向部（本実施形態では、下端縁部１２Ｂ）の間の隙間が無くなるように、ケース部１１は格納される。
【００５４】
尚、ケース部１１を格納状態としたとき、カバー部１２とケース部１１との間の隙間が無くなるように、シール部材１４が設けられる（詳細は後述）。
【００５５】
又、カバー部１２は仕切棚２４に取り付けられる。そのため、冷蔵室２内では、カバー部１２は仕切棚２４にぶら下げられている状態となる。例えば、カバー部１２の上面、又は、仕切棚２４の下方のいずれか一方に、嵌め合わせ用の係合爪（不図示）が複数設けられる。そして、いずれか他方に、係合爪が嵌め込まれる係合部（不図示）が設けられる。これにより、仕切棚２４や冷蔵室２やケース部１１に対し、決まった位置にカバー部１２が位置するように、カバー部１２が固定、支持される。
【００５６】
（チルド室１の間接冷却）
次に、図７、図８を用いて、チルド室１の間接冷却の詳細を説明する。図７はチルド室１の奥側の冷蔵室２の壁面部分２ｂの一例を示す説明図である。図８はチルド室１部分の模型的右側面断面図である。
【００５７】
図７に示すように、チルド室１の奥側の冷蔵室２の奥側の壁面部分２ｂに吹出口８０（冷蔵室吹出口８３の一種ともいえる）が設けられる。吹出口８０の左右方向の幅は適宜定めることができる（例えば、チルド室１の横幅に対し、数分の１〜十数分の１程度）。又、吹出口８０は１つとは限らず、間隔を設けつつ、２つ以上設けてもよい。
【００５８】
又、チルド室１の奥側の冷蔵室２の壁面部分２ｂであって、吹出口８０よりも右側に戻り口８４が設けられる。図７に示すように、戻り口８４には、野菜室６や冷却器７１などに向けて冷蔵室２内の冷気を送り出すファン８５を設けることができる。
【００５９】
そして、図８に示すように、チルド室１の背面側に設けられた吹出口８０はカバー部１２（チルド室１）の背面に向けて冷気を吹き出す。この冷気によりチルド室１は室内が間接冷却される。尚、冷気は戻り口８４に集まってくるので、チルド室１よりも上方で複数の冷蔵室吹出口８３から冷蔵室２に吹き出された冷気もチルド室１周辺に降りてきて、チルド室１を間接的に冷却する。
【００６０】
そして、図８に示すように、仕切棚２４とカバー部１２との間に設けられ、カバー部１２の上面と接し（カバー部１２の上面を通路の壁面として用い）、吹出口８０からの冷気を、チルド室１の背面側から前面側に向けて通す第１通路１５が設けられる。尚、図８では、吹出口８０から吹き出され、第１通路１５を伝う冷気の流れを白抜矢印で図示する。
【００６１】
具体的に、仕切棚２４とカバー部１２の上面との間の空間が第１通路１５として用いられる。これにより、カバー部１２の上面の（ほぼ）全面にわたって第１通路１５が形成される。言い換えると、カバー部１２の上面のうち平坦部分を第１通路１５として用いる。これにより、カバー部１２の上面は全体的に冷気と接する。従って、効率よくチルド室１を冷やすことができる。
【００６２】
ここで、図８に示すように、カバー部１２の上面に接しつつ、チルド室１の正面側にまで送られた冷気はチルド室１の側面から下方に流れる。言い換えると、第１通路１５は第１通路１５に流れ込んだ冷気をチルド室１の側面に流す。
【００６３】
具体的に、カバー部１２の上面の縁部分には、第１通路１５に流れ込んだ冷気をチルド室１の側面に流すためのガイド壁１６が設けられる（図６参照）。ガイド壁１６はカバー部１２の上面の左右の縁部分に設けられる。ガイド壁１６はカバー部１２の上面から仕切棚２４方向にのび、仕切棚２４と接するか、若しくは、ガイド壁１６と仕切棚２４の間に隙間が設けられる。
【００６４】
又、ガイド壁１６はカバー部１２の上面の左右の縁部分のうち、背面から前後方向の中央位置よりも正面側に設けられた終点位置１６ａまでの間に立設される。これにより、冷気はある程度、チルド室１（カバー部１２）の前方（正面側）に送られたのち、チルド室１の左右両側面（冷蔵室２の右側面方向や卵ケース２６とチルド室１の間）に流れる。このように、冷気がチルド室１と接する面積を稼ぐので、間接冷却でもチルド室１の室内を十分に冷やすことができる。
【００６５】
又、図８に示すように、冷蔵室２の下面（底面２ａ）とケース部１１との間に設けられ（ケース部１１の下方に設けられ）、ケース部１１の下面と接し（ケース部１１の下面を通路の壁面として用い）、チルド室１の前面側から戻り口８４に向けて冷気を通す第２通路１７を含む。尚、図８では、チルド室１の全面側から戻り口８４に向かう冷気の流れを網掛矢印で図示する。
【００６６】
具体的に、冷蔵室２の下面（底面２ａ）とケース部１１の間の空間が第２通路１７として用いられる。これにより、ケース部１１の下面に第２通路１７が形成される。言い換えると、ケース部１１のうち平坦部分を第２通路１７として用いる。これにより、ケース部１１の下面も冷気に接触させることができる。従って、効率よくチルド室１を冷やすことができる。
【００６７】
尚、第２通路１７を設けつつケース部１１を載置するため、冷蔵室２の底面２ａの一部は盛り上がった形状としてもよい。この盛り上げ部分にケース部１１がのせられ、ケース部１１を安定した状態で格納することができる。
【００６８】
又、吹出口８０はチルド室１の背面側かつ戻り口８４よりも上方に設けられる。又、吹出口８０はチルド室１の中央よりも左に偏って設けられ、戻り口８４はチルド室１の中央よりも右側に設けられる。これにより、吹出口８０から吹き出された冷気をカバー部１２の上面で、ケース部１１の出し入れ方向（前後方向）に対し、斜め方向で冷気を流すことができる。言い換えると、カバー部１２と接する表面積を稼ぎつつ冷気を流すことができ、効率よくチルド室１を間接冷却することができる。
【００６９】
尚、吹出口８０を中央よりも右側に設けた場合、戻り口８４はチルド室１の中央よりも左側に設けるようにしてもよい。
【００７０】
（シール部材１４）
次に、図８〜図１１を用いて、実施形態に係るチルド室１のカバー部１２とケース部１１の間の隙間をふさぐシール部材１４を説明する。図９（ａ）は図８の破線囲い部分Ａ部分の位置に対応するカバー部１２とケース部１１の右側面部分の隙間をふさぐシール部材１４Ｒの一例を説明するための説明図であり、（ｂ）は図８の破線囲い部分Ａ部分を拡大して前方から見た図であり、カバー部１２とケース部１１の左側面部分の隙間をふさぐシール部材１４Ｌの一例を説明するための説明図である。図１０は図８の破線囲い部分Ｂを拡大した図であり、カバー部１２とケース部１１の前部分の隙間をふさぐシール部材１４Ｆの一例を説明するための説明図である。図１１は図８の破線囲い部分Ｃを拡大した図であり、カバー部１２とケース部１１の後部分の隙間をふさぐシール部材１４Ｂの一例を説明するための説明図である。
【００７１】
〈チルド室１の左右側面部分での隙間のシール〉
まず、図８、図９を用いて、本実施形態のチルド室１の左右側面部分でのカバー部１２とケース部１１の隙間のシールについて説明する。
【００７２】
まず、図９（ａ）や図９（ｂ）に示すように、本実施形態のチルド室１には、カバー部１２の左右方向での下端縁部１２Ｒ、１２Ｌ（カバー部側対向部）に、カバー部１２の一部として取り付けられ、ケース部１１の左右方向での上端縁部１１Ｒ、１１Ｌ（ケース部側対向部）とカバー部１２の左右方向での下端縁部１２Ｒ、１２Ｌの間の隙間をふさぐシール部材１４Ｒ、１４Ｌが設けられる。シール部材１４Ｒ、１４Ｌはチルド室１への空気の流入と流出を防ぐパッキンである。
【００７３】
シール部材１４Ｒ、１４Ｌはコ字状（凹状）の形状であり、カバー部１２の下端縁部１２Ｒ、１２Ｌ（カバー部側対向部）に凹み部分が嵌め込まれる。これにより、シール部材１４Ｒ、１４Ｌはカバー部１２の一部として、カバー部１２に取り付けられる。
【００７４】
尚、シール部材１４Ｒ、１４Ｌはケース部１１の左右方向での上端縁部１１Ｒ、１１Ｌ（ケース部側対向部）に、ケース部１１の一部として取り付けられてもよい（シール部材１４Ｒ、１４Ｌはケース部１１側に取り付けてもよい）。尚、図１０（ａ）、（ｂ）でケース部１１側にシール部材１４Ｒ、１４Ｌを設けた場合の一例を、破線で例示している。
【００７５】
これらのシール部材１４Ｒ、１４Ｌにより、ケース部１１を格納状態としたとき（カバー部１２でケース部１１を覆う状態としたとき）、チルド室１の側面部分でのチルド室１内への空気の流入やチルド室１からの空気の流出が防がれる。従って、チルド室１の密閉性を高めることができる。
【００７６】
ここで、ケース部１１の左右方向での上端縁部１１Ｒ、１１Ｌ（ケース部側対向部）は、正面側ほど高くなり、背面側ほど低くなるように斜めとされる（傾斜した形状である）。ケース部１１の上端縁部１１Ｒ、１１Ｌの傾斜に対応し、カバー部１２の左右方向での下端縁部１２Ｒ、１２Ｌ（カバー部側対向部）は背面側ほど低くなるように斜めとされ、正面側ほど高くなるように斜めとされる（傾斜した形状である）。
【００７７】
傾斜の角度は適宜定めることができる。本実施形態の冷蔵庫１００では、傾斜の角度はケース部１１を引き出すときにカバー部１２に引っかからず、又、十分な収容量を確保するために、水平面に対し、５〜１５度程度の角度とされる。より好ましくは、水平面に対し、７〜９度程度の傾斜とすることが好ましい。
【００７８】
これにより、シール部材１４Ｒ、１４Ｌとケース部１１の上端縁部１１Ｒ、１１Ｌが摩擦している状態が続かず、軽い力でスムーズにケース部１１を引き出すことができる。又、シール部材１４Ｒ、１４Ｌとケース部１１の上端縁部１１Ｒ、１１Ｌが摩擦している状態が続かず、軽い力でスムーズにケース部１１を格納状態に戻すことができる。又、シール部材１４Ｒ、１４Ｌの摩擦によって劣化しづらい。又、摩擦によってシール部材１４Ｒ、１４Ｌがカバー部１２の下端縁部１２Ｒ、１２Ｌから外れることもない。
【００７９】
〈チルド室１の正面部分での隙間のシール〉
次に、図１０を用いて、本実施形態のチルド室１の正面部分でのカバー部１２とケース部１１の隙間のシールについて説明する。
【００８０】
まず、図１０に示すように、本実施形態のチルド室１には、カバー部１２の正面側上部分（カバー部側対向部）にカバー部１２の一部として取り付けられ、ケース部１１の正面側上部分（ケース部側対向部）とカバー部１２の正面側上部分との間の隙間をふさぐシール部材１４Ｆが設けられる。具体的には、シール部材１４Ｆはカバー部１２の正面側下端縁部１２Ｆに、カバー部１２の一部として取り付けられる。シール部材１４Ｆもチルド室１への空気の流入と流出を防ぐパッキンである。
【００８１】
シール部材１４Ｆはコ字状（凹状）の形状であり、カバー部１２の正面側上部分（正面側下端縁部１２Ｆ、カバー部側対向部）に凹み部分が嵌め込まれる。これにより、シール部材１４Ｆはカバー部１２の一部として、カバー部１２に取り付けられる。
【００８２】
尚、シール部材１４Ｆはケース部１１の正面側上部分（ケース部１１の正面側上端縁部１１Ｆ、ケース部側対向部）に、ケース部１１の一部として取り付けられてもよい（シール部材１４Ｆはケース部１１側に取り付けてもよい）。尚、図１１でケース部１１側にシール部材１４Ｆを設けた場合の一例を、破線で例示している。
【００８３】
このシール部材１４Ｆにより、ケース部１１を格納状態としたとき（カバー部１２でケース部１１を覆う状態としたとき）、チルド室１の正面部分（前部分）でのチルド室１内への空気の流入やチルド室１からの空気の流出が防がれる。従って、チルド室１の密閉性を高めることができる。
【００８４】
ここで、ケース部１１の正面側上部分（上端縁部１１Ｆ、ケース部側対向部）はシール部材１４Ｆと前後方向で接する。仕切棚２４の撓み（仕切棚に係る荷重）の影響によって、カバー部１２の形状も撓む（カバー部１２の一部が下方向に膨らむ）場合がある。しかし、ケース部１１の正面側上部分（上端縁部１１Ｆ）とカバー部１２の正面側上部分（下端縁部１２Ｆ）はシール部材１４Ｆを介して、前後方向で、接するので、ケース部１１の出し入れに要する力は、カバー部１２の形状の撓みによらず、ほとんど変わらない。
【００８５】
〈チルド室１の背面部分での隙間のシール〉
次に、図９、図１１を用いて、本実施形態のチルド室１の背面部分でのカバー部１２とケース部１１の隙間のシールについて説明する。
【００８６】
まず、図１１に示すように、本実施形態のチルド室１には、カバー部１２の背面側下端縁部１２Ｂ（カバー部側対向部）にカバー部１２の一部として取り付けられ、ケース部１１の背面側の上端縁部１１Ｂ（ケース部側対向部）とカバー部１２の背面側下端縁部１２Ｂとの間の隙間をふさぐシール部材１４Ｂが設けられる。具体的には、シール部材１４Ｂはカバー部１２の背面側下端縁部１２Ｂに、カバー部１２の一部として取り付けられる。シール部材１４Ｂもチルド室１への空気の流入と流出を防ぐパッキンである。
【００８７】
シール部材１４Ｂはコ字状（凹状）の形状であり、カバー部１２の背面側下端縁部１２Ｂに凹み部分が嵌め込まれる。これにより、シール部材１４Ｂはカバー部１２の一部として、カバー部１２に取り付けられる。
【００８８】
尚、シール部材１４Ｂはケース部１１の背面側上端縁部１１Ｂ（ケース部側対向部）に、ケース部１１の一部として取り付けてもよい（シール部材１４Ｂをケース部１１側に取り付けてもよい）。尚、図１１でケース部１１側にシール部材１４Ｂを設けた場合の一例を、破線で例示している。
【００８９】
このシール部材１４Ｂにより、ケース部１１を格納状態としたとき（カバー部１２でケース部１１を覆う状態としたとき）、チルド室１の背面部分（後部分）でのチルド室１内への空気の流入やチルド室１からの空気の流出が防がれる。従って、チルド室１の密閉性を高めることができる。
【００９０】
ここで、ケース部１１の上端縁部１１Ｂはシール部材１４Ｂと前後方向で接する。仕切棚２４の撓み（仕切棚に係る荷重）の影響によって、カバー部１２の形状も撓む（カバー部１２の一部が下方向に膨らむ）場合がある。しかし、ケース部１１の上端縁部１１Ｂとカバー部１２の下端縁部１２Ｂはシール部材１４Ｂを介して、前後方向で、接するので、ケース部１１の出し入れに要する力は、カバー部１２の形状の撓みによらず、ほとんど変わらない。
【００９１】
（格納状態のケース部１１の保持）
次に、図１２〜図１５を用いて、実施形態に係るチルド室１での格納状態のケース部１１の保持（密閉性の維持）の一例を説明する。図１２はチルド室１を右斜下側から見た斜視図である。図１３は保持部９がケース部１１を保持した状態を下方から見た下面図である。図１４は保持部９の一例を示す説明図である。図１５は突起部１１０と保持部９の配置位置を変えた変形例の一例を示す説明図である。
【００９２】
上述のように、ケース部１１を格納状態としたとき、カバー部１２とケース部１１の間の隙間が無くなるように、カバー部１２はケース部１１を覆う。言い換えると、ケース部１１を格納状態とすると、チルド室１は密閉性が高い状態となる。
【００９３】
しかし、ケース部１１が揺れ動き、格納状態としたときのケース部１１の位置がずれやすいと、カバー部１２とケース部１１の間に隙間ができてしまうことになる。そうすると、その隙間からチルド室１内の水分（水蒸気）が逃げ、チルド室１内の貯蔵物（食材）の乾燥が進んでしまう。
【００９４】
そこで、本実施形態の冷蔵庫１では、格納状態としたケース部１１を保持する保持部９が設けられる。保持部９が押し込まれ、格納状態とされたケース部１１を保持し、ケース部１１とカバー部１２の間で大きな隙間ができないようにする。又、保持部９がケース部１１を保持するということは、ケース部１１を格納状態としたとき、ケース部１１は決まった位置で固定されるということになる。従って、確実に隙間が生じないように、ケース部１１にカバー部１２がかぶる（覆う）ようにすることができる。
【００９５】
図１２、図１３に示すように、保持部９はケース部１１よりも下面に設けられる。そして、保持部９は冷蔵室２の底面２ａに取り付けられる。
【００９６】
格納状態としたケース部１１を一定の位置（予め定められた位置）で保持するため、図１３に示すように、ケース部１１の下面には２本の突起部１１０が設けられる。本実施形態のケース部１１には、２つの突起部１１０が設けられる。２つの突起部１１０はケース部１１の左右方向と平行な方向に一定の間隔を設けつつ、並べて設けられる。尚、本実施形態では突起部１１０を２つ設ける例を説明するが、３つ以上設けてもよい。
【００９７】
それぞれの突起部１１０の形状は円筒形状である。又、各突起部１１０はケース部１１と一体的に成形されている（取り付けられてもよい）。従って、本実施形態のケース部１１の下面では、２つの突起が突出している
【００９８】
そして、ケース部１１の下方であって、冷蔵室２の底面２ａに設けられた保持部９は保持部９を冷蔵室２の底面２ａに固定するための固定部９ａと、固定部９ａからケース部１１の出し入れ方向（チルド室１の前後方向）にのびるバネ部９０を含む。保持部９にはバネ部９０が２つ設けられる。図１３、図１４に示すように、各保持部９のバネ部９０は板バネである。各バネ部９０は樹脂製でもよいし、金属製でもよい。
【００９９】
各バネ部９０はケース部１１の出し入れ方向と平行な方向に延びる。そして、ケース部１１が格納状態にされると、各バネ部９０は突起部１１０に押されて変形し、突起部１１０を挟むように押さえる。２つのバネ部９０が突起部１１０を挟むので、２つの突起部１１０の間隔よりもバネ部９０の間隔の方が広い。
【０１００】
各バネ部９０は突起部１１０と接する第１傾斜部９１を有する。各バネ部９０の正面側を途中で内側（２つのバネ部９０の間の方向）に折り曲げることにより、第１傾斜部９１を形成してもよい。又、板バネに樹脂等の部材を貼り付けることにより、各バネ部９０に第１傾斜部９１が設けられてもよい。
【０１０１】
そして、図１３、図１４に示すように、第１傾斜部９１は上下方向からみて、ケース部１１（チルド室１）の正面側ほど、向かい合うバネ部９０のそれぞれの第１傾斜部９１の間隔が狭くなるように傾斜している。言い換えると、ケース部１１（チルド室１）の正面側（前側）を上、正面側（前側）を下として、ケース部１１の下方向から見たとき、それぞれのバネ部９０の第１傾斜部９１はハ字状（斜め下方向）に傾斜している。
【０１０２】
このような傾斜を第１傾斜部９１が有するので、ケース部１１を押し込むほど（格納状態となるように入れるほど）、バネ部９０が突起部１１０を押さえる力（バネ部９０の弾性により元に戻ろうとする力）が弱くなる。又、円柱形状の突起部１１０は第１傾斜部９１に滑るように接する。これにより、ケース部１１が奥に向かう方向（ケース部１１を背面側に引き込む方向）にバネ部９０の力を働かせることができる。
【０１０３】
具体的に、図１３に示すように、ケース部１１が格納状態にされると、保持部９の各バネ部９０は突起部１１０に押されて変形し、突起部１１０を押さえる。しかし、第１傾斜部９１はケース部１１が押し込まれるほど、バネ部９０が突起部１１０を押さえる力が弱くなるように傾斜している。そのため、格納状態のケース部１１（保持部９で保持されたケース部１１）を動かすとき、ケース部１１を背面方向に引き込む力を超えてケース部１１を引き出す必要がある。そのため、ケース部１１を格納状態としたとき、ケース部１１は押し込まれた状態（格納状態）で安定し、ケース部１１はぐらついたりすること無く、ケース部１１とカバー部１２の隙間が無い状態となるようにケース部１１は保持される。
【０１０４】
従って、ケース部１１を格納状態としたとき、保持部９は各バネ部９０の第１傾斜部９１と突起部１１０が接する位置に取り付けられる。
【０１０５】
又、各バネ部９０には、第１傾斜部９１よりもケース部１１の正面側（前側）に、ケース部１１が押し込まれるときに突起部１１０と最初に接する第２傾斜部９２を有する。言い換えると、各バネ部９０のケース部１１の正面側の先端部分に第２傾斜部９２が設けられる（第１傾斜部９１は第２傾斜部９２よりも奥側に位置）。
【０１０６】
図１３、図１４に示すように、第２傾斜部９２は上下方向からみて、ケース部１１（チルド室１）の正面側ほど、向かい合うバネ部９０のそれぞれの第２傾斜部９２の間隔が広くなるように傾斜している。言い換えると、ケース部１１（チルド室１）の正面側（前側）を上、正面側（前側）を下として、ケース部１１の下方向から見たとき、それぞれのバネ部９０の第１傾斜部９１は逆ハ字状（斜め上方向）に傾斜している。
【０１０７】
この第２傾斜部９２によって、突起部１１０がバネ部９０（保持部９）に当たったとき円柱状の突起部１１０は第２傾斜部９２を滑る。従って、ケース部１１を収容するとき（押し戻すとき）、各バネ部９０に突起部１１０が衝突して、突起部１１０が折れたり、根元にヒビが入ったりすることも無い。これらの第１傾斜部９１や第２傾斜部９２によって、滑らかにケース部１１を出し入れすることができる。
【０１０８】
そして、図１３に示すように、各突起部１１０はケース部１１の左右方向での中央部分であって、ケース部１１の背面寄り（ケース部１１の中央部後方）に設けられる。一方、保持部９はケース部１１の格納状態のときの各突起部１１０の位置に応じて、各突起部１１０を各バネ部９０の第１傾斜部９１が押さえる位置に設けられる。これにより、保持部９が冷蔵室２の奥側に設けられることになり、保持部９は使用者から見えづらい位置に配される。
【０１０９】
尚、図１５は、図１３の例に対し、突起部１１０と保持部９の配置位置を変えた変形例を示している。図１５は変形例での保持部９がケース部１１を保持した状態を下方から見た下面図である。
【０１１０】
具体的に、図１５に示すように、各突起部１１０はケース部１１の左右方向での中央部分であって、ケース部１１の正面寄り（ケース部１１の中央部前方）に設けてもよい。一方、保持部９はケース部１１の格納状態のときの各突起部１１０の位置に応じて、各突起部１１０を各バネ部９０の第１傾斜部９１が押さえる位置に設けてもよい。これにより、保持部９が冷蔵室２の手前側に設けられることになり、ケース部１１の手前側でしっかりケース部１１を保持することができる。
【０１１１】
このようにして、実施形態に係る冷蔵庫１は冷気を生成し、冷気を送り出す冷却部（冷却器７１、圧縮機７２、第１通風路７３、第２通風路７４、第１送風機７５、第２送風機７７）と、冷却部が生成した冷気を吹き出す吹出口８０を含む貯蔵室（冷蔵室２）と、前後方向で移動可能であり貯蔵物を収容するケース部１１と、ケース部１１の上方に設けられ、ケース部１１を格納状態としたときケース部１１を覆うカバー部１２と、を含み、貯蔵室内に設けられ、ケース部１１及びカバー部１２周辺の冷気により室内が間接冷却される間接冷却室（チルド室１）と、押し込まれ、格納状態とされたケース部１１を保持する保持部９と、を含む。
【０１１２】
これにより、ケース部１１を保持部９で保持できるので、格納状態にあるケース部１１が動いて、ケース部１１とカバー部１２の間の隙間が大きくならないようにすることができる。従って、間接冷却室（チルド室１）を密閉性の高い状態で保つことができ、食材の乾燥を防ぐことができる。又、ケース部１１を格納状態にして、ケース部１１にカバー部１２を被せるだけで、密閉性が高く食材の乾燥が生じ難い間接冷却室を設けることができる。しかも、低圧室のように減圧を伴う場合に比べ、強度のある部材や補強部材を用いることなく、簡易に間接冷却室の密閉性を高めることができ、冷気の入り込みを減らすことができる。
【０１１３】
又、実施形態に係る冷蔵庫１において、ケース部１１の下面に突起部１１０が設けられ、保持部９はケース部１１が格納状態にされると突起部１１０に押されて変形し、突起部１１０を押さえるバネ部９０を含む。これにより、簡易な構成で格納状態としたケース部１１をしっかりと保持することができる。又、使用者にとって視認しづらいケース部１１の下面で保持が行われるから、美観的にも好ましい。
【０１１４】
又、実施形態に係る冷蔵庫１のバネ部９０は突起部１１０と接する第１傾斜部９１を有し、第１傾斜部９１はケース部１１が押し込まれるほど、バネ部９０が突起部１１０を押さえる力が弱くなるように傾斜している。これにより、ケース部１１を格納状態に向けて押し込む方向への力（背面側へケース部１１を導くような力）を生じさせることができる。言い換えると、バネ部９０が安定する方向である背面側にケース部１１を移動させる力をバネ部９０に持たせ、格納状態としたケース部１１をしっかりと保持することができる。これにより、ケース部１２とカバー部１１の間で隙間が生じないようにケース部１１を安定した状態（格納状態）で保つことができる。
【０１１５】
又、冷蔵庫１のバネ部９０はケース部１１が押し込まれるときに突起部１１０と最初に接する第２傾斜部９２を有する。これにより、勢いよくケース部１１を格納する方向に移動させても、突起部１１０がバネ部９０に衝突する力を傾斜により逃がすことができる。従って、突起部１１０やバネ部９０への衝撃を和らげることができ、突起部１１０やバネ部９０の破損を無くすことができる。
【０１１６】
又、突起部１１０はケース部１１の左右方向での中央部分であって、ケース部１１の背面寄りに設けられ、保持部９はケース部１１の格納状態のときの突起部１１０の位置に応じて、突起部１１０を押さえる位置に設けられてもよい。これにより、突起部１１０や保持部９は左右方向での中央部分に設けられるから、ケース部１１の中心に近い位置で、ケース部１１を適切に保持することができる。又、突起部１１０や保持部９はケース部１１の背面側の位置に設けられるから、使用者にとって視認しづらく、美観的にも好ましい。
【０１１７】
又、突起部１１０はケース部１１の左右方向での中央部分であって、ケース部１１の正面寄りに設けられ、保持部９はケース部１１の格納状態のときの突起部１１０の位置に応じて、突起部１１０を押さえる位置に設けるようにしてもよい。これにより、突起部１１０や保持部９は左右方向での中央部分に設けられるから、ケース部１１の中心に近い位置で、ケース部１１を適切に保持することができる。又、突起部１１０や保持部９はケース部１１の正面寄りに設けられるから、使用者に保持されたか否かを感触で把握しやすくなり、ケース部１１とカバー部１２に大きな隙間がある状態（ケース部１１をきちんと格納していない状態）で維持されることが無くなる。
【０１１８】
又、ケース部１１とカバー部１２のいずれか一方に、ケース部１１と、カバー部１２の間の隙間をふさぐためのシール部材が設けられる。これにより、間接冷却室（チルド室１）の密閉性（カバー部１２とケース部１１を重ね合わせたときの密閉性）を高めることができる。従って、食材の乾燥を生じ難くすることができる。
【０１１９】
次に、他の実施形態を説明する。上記の実施形態では、間接冷却室として、チルド室１を例に挙げて説明した。しかし、チルド室１に限られず、他の冷蔵庫１００に設けられる貯蔵室（例えば、氷点下数度程度の貯蔵室）を間接冷却室としてもよい。
【０１２０】
又、上記の実施形態では、シール部材（１４Ｒ、１４Ｌ、１４Ｆ、１４Ｂ）を設け、カバー部とケース部の隙間を埋める例を説明した。しかし、ケース部を格納状態としたとき（カバー部とケース部を重ねたとき）、カバー部の下端縁部とケース部の上端縁部を接するようにカバー部とケース部を成形してチルド室の密閉性を高めてもよい。言い換えると、重ね合わせたとき、カバー部とケース部の隙間が無くなる、又は、隙間が生ずるとしても予め定められた許容範囲の隙間となるようにカバー部とケース部を成形してもよい。
【０１２１】
以上、本発明の実施形態について説明したが、本発明の範囲はこれに限定されるものではなく、発明の主旨を逸脱しない範囲で種々の変更を加えて実施することができる。
【産業上の利用可能性】
【０１２２】
本発明は間接冷却室を備えた冷蔵庫に利用可能である。
【符号の説明】
【０１２３】
１００  冷蔵庫                      １      チルド室（間接冷却室）
１１    ケース部                    １１０  突起部
１２    カバー部                    １４    シール部材
１４Ｒ  シール部材                  １４Ｌ  シール部材
１４Ｆ  シール部材                  １４Ｂ  シール部材
２      冷蔵室（貯蔵室）            ２４    仕切棚
７１    冷却器（冷却部）            ７２    圧縮機（冷却部）
７３    第１通風路（冷却部）        ７４    第２通風路（冷却部）
７５    第１送風機（冷却部）        ７７    第２送風機（冷却部）
８０    吹出口                      ９      保持部
９０    バネ部                      ９１    第１傾斜部
９２    第２傾斜部
【図１】
2014052097.tif 000003
【図２】
2014052097.tif 000004
【図３】
2014052097.tif 000005
【図４】
2014052097.tif 000006
【図５】
2014052097.tif 000007
【図６】
2014052097.tif 000008
【図７】
2014052097.tif 000009
【図８】
2014052097.tif 000010
【図９】
2014052097.tif 000011
【図１０】
2014052097.tif 000012
【図１１】
2014052097.tif 000013
【図１２】
2014052097.tif 000014
【図１３】
2014052097.tif 000015
【図１４】
2014052097.tif 000016
【図１５】
2014052097.tif 000017